(57)【特許請求の範囲】
【請求項１】
自動払出し不能な注射薬容器とアンプルトレイとを各患者毎に整合させてバケット内に収納するための注射薬整合装置であって、
（ａ）各患者毎のアンプルトレイが収納されるトレイストッカを有するとともに、このトレイストッカから排出されるトレイを載置するトレイ載置部と、前記注射薬容器が収納されたバケットを載置するバケット載置部とを有する整合台、
（ｂ）前記バケット載置部に載置されたバケットに記憶されているバケットＩＤを読み込む読み込み手段および
（ｃ）この読み込み手段からの信号を受けてそのバケットＩＤに対応するトレイをトレイ載置部に払い出すように前記トレイストッカを制御するトレイストッカコントローラ
を備えることを特徴とする注射薬整合装置。
【請求項２】
前記トレイストッカには、注射薬払出機からトレイ搬送コンベアを介して所要のトレイが供給されることを特徴とする請求項１に記載の注射薬整合装置。
【請求項３】
前記注射薬払出機からトレイが払い出される際にアンプル払出コントローラからの指令によりそのトレイにトレイＩＤが書き込まれ、前記トレイストッカにトレイが収納される際にそのトレイＩＤが読み込まれて、この読み込みデータが前記トレイストッカコントローラに送信されて前記トレイストッカの所定の棚にトレイが収納されることを特徴とする請求項２に記載の注射薬整合装置。
【請求項４】
さらに、前記注射薬容器を収納する注射薬台が設けられ、この注射薬台に、前記アンプル払出コントローラにより生成される注射箋データに基づいて指示書，輸液ラベルおよびバケット用患者名ラベルを印字するプリンタが設けられることを特徴とする請求項３に記載の注射薬整合装置。
【請求項５】
前記注射薬台にはバケットを載置するバケット載置部が設けられ、このバケット載置部に載置されたバケットに収納された注射薬容器に係るデータをそのバケットに記憶させる書き込み手段が設けられることを特徴とする請求項４に記載の注射薬整合装置。
【請求項６】
前記書き込み手段は、前記プリンタから印字される指示書上のバーコードから読み取られたデータに基づいて書き込みを行うことを特徴とする請求項５に記載の注射薬整合装置。
【請求項７】
前記整合台には、各患者毎の全ての注射箋データを印字する注射箋プリンタが付設されることを特徴とする請求項１乃至６のうちのいずれかに記載の注射薬整合装置。
【発明の詳細な説明】
【０００１】
【発明の属する技術分野】
本発明は、注射薬整合装置に関し、より詳しくは自動払出し不能な注射薬容器とアンプルトレイとを各患者毎に整合させてバケット内に収納するための注射薬整合装置に関するものである。
【０００２】
【従来の技術】
従来、病院の入院患者等に投与する注射薬を整合するには、医師の注射箋を見て薬剤師等が必要な注射薬を各患者毎に手作業で揃えて箱の中に入れ、この箱を各病棟毎に振り分けるようにする方法が一般的である。ところが、このような方法では、過誤なく所要の注射薬を揃える必要があるために看護婦等の負担が大きすぎるという問題点があった。
【０００３】
そこで、このような問題点を解決するために、調剤作業の自動化を図るための装置がいろいろと提案され、実用化されている。例えば特開平７−２６５３８７号公報に開示されている薬剤調剤機においては、アンプル等の形状をした注射薬をトレイの所定の収容室に払い出して整列収容するようにされ、またそのトレイのバーコードを読み取ってそのトレイに収容されている注射薬の元になる処方箋を印字するようにされている。
【０００４】
【発明が解決しようとする課題】
しかしながら、前述のような注射薬の場合、アンプル，バイアル等については機械により取り扱うことができて自動的に整合することが可能であるが、これ以外の輸液ボトルもしくはバッグ等の注射薬については大きさもしくは形状がまちまちであり、剤種も多いために、機械化が困難であって人手により整合せざるを得ない。このことから、アンプル等の自動払出しの可能な剤種と、輸液ボトルもしくはバッグ等の自動払出しの不可能な剤種とを整合させる際にどうしても作業上の負担が大きいとともに、取扱い量が多くなるほどに整合ミスが生じてしまうという問題点がある。なお、前記公報には、主として自動払出しの可能な剤種を整合するための装置が開示されているに過ぎず、これら剤種と自動払出しの不可能な剤種との整合を効率的に行う技術が開示されるものではない。
【０００５】
本発明は、このような問題点に鑑みてなされたもので、自動払出しの可能な剤種と自動払出しの不可能な剤種との整合を効率的に行って、この整合時および監査時の負担軽減を図るとともに、過誤の発生を防止することのできる注射薬整合装置を提供することを目的とするものである。
【０００６】
【課題を解決するための手段および作用・効果】
前述の目的を達成するために、本発明による注射薬整合装置は、
自動払出し不能な注射薬容器とアンプルトレイとを各患者毎に整合させてバケット内に収納するための注射薬整合装置であって、
（ａ）各患者毎のアンプルトレイが収納されるトレイストッカを有するとともに、このトレイストッカから排出されるトレイを載置するトレイ載置部と、前記注射薬容器が収納されたバケットを載置するバケット載置部とを有する整合台、
（ｂ）前記バケット載置部に載置されたバケットに記憶されているバケットＩＤを読み込む読み込み手段および
（ｃ）この読み込み手段からの信号を受けてそのバケットＩＤに対応するトレイをトレイ載置部に払い出すように前記トレイストッカを制御するトレイストッカコントローラ
を備えることを特徴とするものである。
【０００７】
本発明に係る注射薬整合装置においては、予め所要の自動払出し不能な注射薬容器が収納されたバケットが整合台のバケット載置部に載置されると、この載置されたバケットに記憶されているバケットＩＤが読み込み手段により読み込まれ、この読み込み手段からの信号を受けてそのバケットＩＤに対応するトレイがトレイストッカからトレイ載置部に払い出される。こうして、払い出されたトレイを作業者がバケット内に収納することで、トレイに収納されている自動払出しの可能な剤種と自動払出しの不可能な剤種である輸液容器との整合を簡易に行うことができる。また、この整合を、現在のバケットの注射箋データを例えば端末画面の表示で確認しながら行うことで、この整合と併せて監査作業を行うことができる。
【０００８】
前記トレイストッカには、注射薬払出機からトレイ搬送コンベアを介して所要のトレイが供給されるのが好ましい。この場合、注射薬払出機からトレイが払い出される際にアンプル払出コントローラからの指令によりそのトレイにトレイＩＤが書き込まれ、前記トレイストッカにトレイが収納される際にそのトレイＩＤが読み込まれて、この読み込みデータが前記トレイストッカコントローラに送信されて前記トレイストッカの所定の棚にトレイが収納されるようにするのが良い。このようにすれば、各患者毎のトレイをトレイストッカの棚に確実にストックすることができ、この棚上のトレイを整合時に過誤なくトレイ載置部に払い出すことができる。
【０００９】
本発明においては、更に前記注射薬容器を収納する注射薬台が設けられ、この注射薬台に、アンプル払出コントローラにより生成される注射箋データに基づいて指示書，輸液ラベルおよびバケット用患者名ラベルを印字するプリンタが設けられるのが好ましい。また、前記注射薬台にはバケットを載置するバケット載置部が設けられ、このバケット載置部に載置されたバケットに収納された注射薬容器に係るデータをそのバケットに記憶させる書き込み手段が設けられるのが好ましい。こうすることで、この注射薬台において手作業によりバケット内に収納された注射薬容器に係るデータがバケットに記憶されるので、この注射薬容器が収納されたバケットを整合台のバケット載置部に載置するだけで、このバケットに収納すべきトレイの払い出しを自動的に行うことが可能となる。こうして、トレイと注射薬容器との整合を過誤なく行うことができる。ここで、前記書き込み手段は、前記プリンタから印字される指示書上のバーコードから読み取られたデータに基づいて書き込みを行うものであるのが好適である。このような構成により、輸液容器の薬種毎に入力する方式に比べてデータ入力を容易に行うことができる。
【００１０】
また、前記整合台には、各患者毎の全ての注射箋データを印字する注射箋プリンタが付設されるのが好ましい。こうすることで、この注射箋データをバケットに添付することで薬種の確認をより確実に行うことができる。
【００１１】
【発明の実施の形態】
次に、本発明による注射薬整合装置の具体的実施例について、図面を参照しつつ説明する。
【００１２】
図１は、本発明の一実施例に係る注射薬整合システムの一部分を構成する注射薬払出機，トレイ搬送コンベアおよび整合台の組立斜視図であり、図２は、同注射薬整合システムの他の部分を構成する注射薬台の斜視図である。
【００１３】
図示のように、本実施例の注射薬整合システムにおいては、アンプル（図３参照）１を整合するとともに、このアンプル１と輸液ボトル，バッグ等の自動払出し不能な注射薬容器（以下、単に注射薬容器という）２（図２参照）とを整合するために、注射薬払出機３，トレイ搬送コンベア４および整合台５を組み合わせて構成される整合装置本体６が設けられ、この整合装置本体６と別置きに、前記注射薬容器２を整合するための注射薬台７が設けられている。
【００１４】
次に、この注射薬整合システムを構成する各装置について順次に説明する。
【００１５】
（１）注射薬払出機３およびトレイ搬送コンベア４
図４に示されているように、この注射薬払出機３においては、大きさ，形状の異なる多種のアンプル１を多数個寝かせた状態で収納する複数基の収納ユニット８が並列状に設けられるとともに、この収納ユニット８に隣接して、空のトレイ９を多数枚重ねて収納する空トレイ収納部１０ａと、アンプル１が収容された後のトレイ９をストックするトレイストック部１０ｂとを有するトレイユニット１０が設けられている。ここで、各収納ユニット８，空トレイ収納部１０ａおよびトレイストック部１０ｂはいずれも前扉方式で、前面からアンプル１を収納したカートリッジもしくはトレイ９等の出し入れが行えるようになっている。また、図３に示されているように、前記トレイ９は、周縁部にフランジ９ａを有するとともに、内部空間が複数の仕切り９ｂにより区画されてなる形状とされ、この仕切り９ｂ間の空間に種類の異なるアンプル１を互いに接触することなく収納できるようになっている。また、図示されていないが、このトレイ９には所要部に各種情報記憶用のチップが組み込まれている。
【００１６】
この注射薬払出機３は、予め入力されている注射箋データに基づくアンプル払出コントローラ１１（図５参照）からの払出し指令によってその患者に対応する所要のアンプル１を所定の収納ユニット８から排出してトレイ９内に収容し、アンプル収容済みのトレイ９をトレイ出口１２に払い出す。この払出し手順としては、まず空のトレイ９が空トレイ収納部１０ａから下方のコンベア（図示せず）上へ排出され、このトレイ９がそのコンベアによって左右方向に水平移動されながら順次所要のアンプル１が各収納ユニット８からそのトレイ９内へ落下排出されるようになっている（図３（ａ）参照）。なお、このアンプル払出コントローラ１１への払出し指令は、整合台端末１３によってなされる。
【００１７】
こうして、注射薬払出機３のトレイ出口１２から払い出されたアンプル１入りのトレイ９は、このトレイ出口１２に接続されるトレイ搬送コンベア４に受け渡される。このトレイ搬送コンベア４は、注射薬払出機３から受け取ったトレイ９をベルトコンベア１４に載せて整合台５の入り口まで搬送するものであって、上部が透明樹脂製のフード１５により覆われている。なお、本実施例においては、注射薬払出機３からのトレイ９の払出しタイミングとトレイ搬送コンベア４によるトレイ９の搬送タイミングとが一致している場合を想定しているが、注射薬払出機３にはアンプル整合済みのトレイ９をストックする昇降式のトレイストック部１０ｂが設けられているので、この注射薬払出機３側のアンプル整合タイミングが多少早い場合であっても、このトレイストック部１０ｂをバッファ部として使用してトレイ搬送コンベア４とのタイミングを合わせることができる。
【００１８】
また、前記注射薬払出機３のトレイ出口１２には、ＩＤリーダーライター１６（図５参照）が設けられており、トレイ９の払出し時には、このＩＤリーダーライター１６により前記トレイ９に組み込まれているチップにトレイ番号（トレイＩＤ）が書き込まれるようになっている。
【００１９】
（２）整合台５
この整合台５は、トレイ搬送コンベア４によって搬送されてきたトレイ９を各患者に対応する棚を有する後述のトレイストッカ３２に収納し、トレイストッカコントローラ２１からの排出指令に基づき該当する患者のトレイ９を排出するものである。
【００２０】
この整合台５においては、前部に、注射薬容器２が収納されたバケット２２を載置するバケット載置部２３と、後述のトレイストッカ３２から排出されるトレイ９を載置するトレイ載置部２４とが設けられ、このトレイ載置部２４の後方には、複数個（本実施例では４個）のトレイ９を同時に排出するための昇降式シャッター２５付きの開口部２６が設けられている。また、バケット載置部２３の上方には、整合される注射薬の監査を行うための整合モニター２７と、各種データを入力するための入力タッチパネル２８とが組み込まれている。ここで、整合モニター２７は前記整合台端末１３に接続され、入力タッチパネル２８は注射箋確認端末２９に接続されている。また、図１には示されていないが、この注射箋確認端末２９には１患者分の全ての注射箋データを印字する注射箋プリンタ３０が付設されている。
【００２１】
前記バケット載置部２３には、このバケット載置部２３に載置されたバケット２２に付されているＩＣチップ等のチップ（図示せず）に書き込まれているバケットＩＤ（注射箋データ，トレイ番号）を読み込むＩＤリーダーライター３１が組み込まれている。なお、このＩＤリーダーライター３１により読み込まれたデータはトレイストッカコントローラ２１に送信される。
【００２２】
図６（正面図）および図７（側面図）に示されているように、この整合台５には、トレイ搬送コンベア４の終端部に連設するようにトレイストッカ３２が備えられている。このトレイストッカ３２においては、複数段の棚３３が左右一対のチェーンコンベア３４，３４によって昇降自在に設けられ、所定高さ位置にある棚３３の後方に、この棚３３の長手方向（正面視で左右方向）に沿うように、トレイ整列コンベア３５が設けられている。また、このトレイ整列コンベア３５の更に後方には、このトレイ整列コンベア３５上に並べられた複数個（４個）のトレイ９を棚３３上に押し出すとともに、この棚３３上に載置されているトレイ９を前方のトレイ載置部２４に押し出すストロークが可変のプッシャ３６が配設されている。一方、このトレイストッカ３２の入口部には、トレイ搬送コンベア４により搬送されてきたトレイ９を受け取る２連の入口コンベア３７，３８が設けられている。また、下流側の入口コンベア３８上のトレイ９をトレイ整列コンベア３５に受け渡すために、これら入口コンベア３８とトレイ整列コンベア３５との間には受け渡しコンベア３９が設けられている。この受け渡しコンベア３９は、入口コンベア３７，３８により搬送されてきたトレイ９の搬送方向を９０°変換するとともに、前記トレイ整列コンベア３５の高さ位置までトレイ９を持ち上げる役目をする。
【００２３】
また、このトレイストッカ３２の入口部には、ＩＤリーダーライター４０（図５参照）が設けられており、トレイ９の搬入時には、このＩＤリーダーライター４０により前記トレイ９に組み込まれているチップからトレイ番号（トレイＩＤ）が読み込まれるようになっている。この読み込まれたトレイＩＤはトレイストッカコントローラ２１に送信され、このトレイストッカコントローラ２１においてそのトレイＩＤがトレイストッカ３２の棚番号と対応させて記憶されるようになっている。
【００２４】
このトレイストッカ３２におけるトレイ９の格納および排出は次のようにして行われる。
【００２５】
入口コンベア３７，３８がトレイ搬送コンベア４からトレイ９を受け取ると、受け渡しコンベア３９が先頭のトレイ９を受け取ってトレイ整列コンベア３５の高さ位置まで上昇し、このトレイ９をそのトレイ整列コンベア３５上へ搬出する。この動作を繰り返して各患者毎の所定数（最大４個）のトレイ９がトレイ整列コンベア３５上に並べられると、これら並べられたトレイ９に対応する棚３３がそれらトレイ９に対向する位置に移動し、トレイ整列コンベア３５とその棚３３とが一致したときにプッシャ３６によりトレイ整列コンベア３５上のトレイ９が同時に押圧されてその棚３３上に載置される。このようにして、各患者毎のトレイ９がその患者に対応する棚３３に順次格納されていく。
【００２６】
格納済の棚３３から１患者分のトレイ９を排出する際には、トレイストッカコントローラ２１からの指令により所定の棚３３がトレイ整列コンベア３５の対向位置まで昇降され、この位置でプッシャ３６が、格納時のストロークに対して少なくとも棚３３の幅分だけ大きなストロークで前進作動されることにより、棚３３上のトレイ９が同時に開口部２６を通してトレイ載置部２４に押し出される。なお、このトレイ９の排出時にシャッター２５は上昇作動される。
【００２７】
（３）注射薬台７
この注射薬台７は、前記注射薬払出機３によって取り扱うことのできない輸液ボトル，バッグ等の注射薬容器２の整合を人手により行うものであって、これら注射薬容器２を格納する棚４１と、この注射薬容器２を収納するバケット２２が載置されるバケット載置部４２と、この注射薬容器２に貼付されるラベルとバケット用患者名ラベルとを印字するラベルプリンタ４３と、所定のバケット２２に収納すべき注射薬容器２を指示する指示書を印字する指示書プリンタ４４と、この指示書上に付されている注射箋番号に係るバーコードを読み込むバーコードリーダー４５とを備え、この注射薬台７の下部には、注射薬容器２を入れたバケット２２を運搬するためのワゴン４６が付設されている。
【００２８】
前記バケット載置部４２には、このバケット載置部４２に載置されたバケット２２に付されているＩＣチップ等のチップ（図示せず）にバケットＩＤ（注射箋データ，バケット番号，トレイ番号）を書き込むＩＤリーダーライター４７（図５参照）が組み込まれている。このＩＤリーダーライター４７によるデータの書き込みおよびラベルプリンタ４３，指示書プリンタ４４によるデータの印字は、アンプル払出コントローラ１１により生成される注射箋データに基づき注射薬台コントローラ４８によって制御される。
【００２９】
次に、前述のような構成の注射薬整合システムにおけるアンプル１および注射薬容器２の整合手順について説明する。
【００３０】
注射薬台７において、アンプル払出コントローラ１１により生成される注射箋データをもとに、注射薬台コントローラ４８からの指示信号により、ラベルプリンタ４３からラベルを印字するとともに、指示書プリンタ４４から指示書を印字する。作業者（薬剤師）は、空のバケット２２をバケット載置部４２に置き、印字された指示書をもとに対象の薬品（注射薬容器２）をバケット２２内に入れる。全ての薬品をバケット２２内に入れ終えると、指示書に付されている注射箋番号に係るバーコードをバーコードリーダー４５により読み込ませる。
【００３１】
注射薬台コントローラ４８においては、このバーコードリーダー４５から入力される注射箋番号が認識された後に、バケット２２に付されているチップに、ＩＤリーダーライター４７を介して注射箋番号，バケット番号，トレイ番号の各データが書き込まれる。この後、この書き込みの終了表示がランプによって表示されれば、作業者は対象薬品の入ったバケット２２に指示書およびラベルを添付した状態でそのバケット２２を整合台５まで運ぶ。この場合、対象薬品の数が多くて１つのバケット２２に収まらない場合には、各バケット２２に対して前述の操作を行い、各バケット２２のチップに情報を書き込むようにする。また、指示書による指示が注射薬払出機３から払出されるアンプルのみの場合には、注射薬容器２を収納しない空のバケット２２にて前述のような操作を行い、指示書のみを入れてバケット２２を整合台５へ持っていく。
【００３２】
一方、アンプル払出コントローラ１１は、注射箋データ発生時にＬＡＮドライブ５０（図５参照）にその注射箋データを作成し、注射薬払出機３に払出し指示データを送信するとともに、ＬＡＮドライブ５０の整合用データを更新する。こうして、注射薬払出機３から払い出されたアンプル入りのトレイ９は、ＩＤリーダーライター１６によりトレイ番号（トレイＩＤ）が書き込まれた後に、トレイ搬送コンベア４によりトレイストッカ３２の入口まで搬送され、この入口においてＩＤリーダーライター３１によりトレイ番号が読み込まれ、このトレイ番号に対応する棚３３に格納される。
【００３３】
前記注射薬台７より持ち込まれたバケット２２がバケット載置部２３に置かれると、このバケット２２の注射箋データおよびトレイ番号がＩＤリーダーライター４０により読み込まれ、この読み込まれたデータがトレイストッカコントローラ２１に送信されることにより、所要の棚３３から１患者分のトレイ９が排出される。なお、このバケット２２がバケット載置部２３に置かれたときに、トレイストッカ３２の棚３３に所要のトレイが揃っていない場合には、トレイストッカコントローラ２１は整合台端末１３に注射箋番号とストック状況を送信し待機する。そして、入力タッチパネル２８からの入力に基づき前記整合台端末１３より排出指示があれば該当するトレイ９が排出される。
【００３４】
このようにして所要のトレイ９がトレイ載置部２４に排出されると、注射箋確認端末２９に表示される現在のバケット２２の注射箋デ−タを見てバケット２２と排出トレイ９との整合チェックを行いつつ、作業者が排出トレイ９をバケット２２内に収納する。なお、このバケット２２内には、注射箋プリンタ３０により印字される当該患者の全注射箋デ−タのプリントアウト紙が添付される。
【００３５】
本実施例によれば、自動払出しの可能なアンプル等の剤種と自動払出しの不可能な注射薬容器等の剤種との整合を簡易に、かつ過誤なく確実に行うことができ、薬剤師の負担軽減に寄与するところが大である。
【００３６】
本実施例においては、注射薬容器２をバケット２２内に入れたときにバーコードリーダー４５により注射箋番号を読み込ませるものとしたが、この注射箋番号の入力はキー入力により行っても良い。
【００３７】
本実施例においては、アンプルトレイをトレイストッカの同一棚上に載置した後に一度に排出するものについて説明したが、１患者分のアンプルトレイを個別に排出するようにしても良い。また、本実施例のトレイストッカは、棚を昇降させる形式のものとしたが、棚を循環させる形式のものとすることもできる。
【図面の簡単な説明】
【図１】図１は、本発明の一実施例に係る注射薬整合システムの一部分を構成する注射薬払出機，トレイ搬送コンベアおよび整合台の組立斜視図である。
【図２】図２は、本実施例の注射薬整合システムの他の部分を構成する注射薬台の斜視図である。
【図３】図３は、アンプルをトレイに収納する様子を説明する斜視図（ａ）およびトレイを積み重ねた状態で示す側面図である。
【図４】図４は、注射薬払出機の斜視図である。
【図５】図５は、注射薬整合システムのシステム構成図である。
【図６】図６は、整合台の内部構造を示す正面図である。
【図７】図７は、整合台の内部構造を示す側面図である。
【符号の説明】
１  アンプル
２  注射薬容器
３  注射薬払出機
４  トレイ搬送コンベア
５  整合台
６  整合装置本体
７  注射薬台
９  トレイ
１１  アンプル払出コントローラ
１３  整合台端末
１６  ＩＤリーダーライター
２１  トレイストッカコントローラ
２２  バケット
２３  バケット載置部
２４  トレイ載置部
２７  整合モニター
２８  入力タッチパネル
３１  ＩＤリーダーライター
３２  トレイストッカ
３３  棚
４２  バケット載置部
４３  ラベルプリンタ
４４  指示書プリンタ
４５  バーコードリーダー
４７  ＩＤリーダーライター
４８  注射薬台コントローラ
【図１】
0003625100.tif 000002
【図２】
0003625100.tif 000003
【図３】
0003625100.tif 000004
【図４】
0003625100.tif 000005
【図５】
0003625100.tif 000006
【図６】
0003625100.tif 000007
【図７】
0003625100.tif 000008